(57)【要約】【課題】ワイパブレード装置（１）が開示される。【解決手段】前記ワイパブレード装置は、例えばシールドを備えた保護用ヘッドギヤと共に使用するために適する。開示される装置は、シールド（２）と、少なくとも一つのワイパブレード（３）と、ワイパブレード（３）を駆動するモータ（４）と、装置（１）をヘッドギヤ（１０）に取り付け、装置（１）のシールド（２）をヘッドギヤ（１０）のシールド（１１）の上に保持するための取り付け手段（５）と、からなる。本発明のデバイスは、オートバイヘルメットに取り付け可能である。
2005534822.tif 000002
【特許請求の範囲】
【請求項１】
シールドを備えた形式の保護用ヘッドギヤ用のワイパブレード装置であって、シールドと、少なくとも一つのワイパブレードと、前記ワイパブレードを駆動するモータと、前記装置を前記ヘッドギヤに取り付け、前記装置のシールドを前記ヘッドギヤのシールドの上に保持するための取り付け手段と、からなることを特徴とするシールドを備えた形式の保護用ヘッドギヤ用のワイパブレード装置。
【請求項２】
請求項１に記載の装置において、前記装置の前記シールドが、ほぼ平らな前面パネルと、前記装置を前記ヘッドギヤの前記シールドに密着させるシールと、からなることを特徴とする装置。
【請求項３】
請求項２に記載の装置において、前記シールドの前記シールが、前記シールドの前記前面パネルの端面のほぼすべての周囲に取り付けられることを特徴とする装置。
【請求項４】
請求項２または請求項３に記載の装置において、前記装置の前記シールドの前記シールが柔らかい材料からなり、それによって、前記装置の前記シールドが前記ヘッドギヤの前記シールドに隙間無く装着されることを特徴とする装置。
【請求項５】
任意の先行する請求項に記載の装置において、さらに、前記装置の前記シールドと前記ヘッドギヤの前記シールドとの間のスペースを換気する換気手段を有することを特徴とする装置。
【請求項６】
任意の先行する請求項に記載の装置において、前記装置が二つのワイパブレードを有することを特徴とする装置。
【請求項７】
任意の先行する請求項に記載の装置において、前記取り付け手段が、前記装置を前記ヘッドギヤに着脱可能に固定する手段を有することを特徴とする装置。
【請求項８】
任意の先行する請求項に記載の装置において、前記取り付け手段が、少なくとも一つのストラップまたはベルト部品を有することを特徴とする装置。
【請求項９】
請求項８に記載の装置において、前記取り付け手段が、さらに、前記ストラップまたはベルト部品を前記ヘッドギヤに着脱可能に固定する手段を有することを特徴とする装置。
【請求項１０】
請求項７または請求項９に記載の装置において、前記着脱可能に固定する手段が、前記ヘッドギヤに取り付けられることを特徴とする装置。
【請求項１１】
任意の先行する請求項に記載の装置において、前記取り付け手段が、クリップと、くさびと、ホックと、または、つめ状の突起と、を有することを特徴とする装置。
【請求項１２】
任意の先行する請求項に記載の装置において、前記取り付け手段が、弾力性のある部分を有することを特徴とする装置。
【請求項１３】
任意の先行する請求項に記載の装置において、前記取り付け手段のすべてのまたは任意の部品が交換可能であることを特徴とする装置。
【請求項１４】
図２、図３、図４を参照しながら本明細書で説明されたような装置、および／または、実質的、概略的に、図２、図３、図４のうちのいずれか一つ、または、いくつかのものの組み合わせで示されるような装置。
【発明の詳細な説明】
【技術分野】
【０００１】
本発明は、ワイパブレード装置に関し、より詳しくは、シールドを備えた形式の保護用ヘッドギヤと共に使用するために適したワイパ装置であり、雨粒または雪などを使用者の視界から除去するためのデバイスを備えたワイパ装置に関する。
【背景技術】
【０００２】
保護用ヘッドギヤ、通常、ヘルメットは、事故の時に、モーターサイクリストなどの着用者の頭部外傷および頭部関連の外傷を予防するために、または予防しようとするために着用される。ヘルメットなどの保護用ヘッドギヤには、一般に、シールドが取り付けられる。前記シールドは、前記着用者の目および顔を保護するようにデザインされる。前記シールドは、通常、前記ヘルメットの側面に設けられた旋回軸で支持され、前記シールドを、前記ヘルメットの上に持ち上げた位置（顔の上）から、前記着用者の視界を横切る保護位置（顔の前）に下げることができる。
【０００３】
良好な、および平均的な気象条件では、前記保護用ヘッドギヤの前記シールドを通した視界は満足できるものであり、前記シールドは有用な保護目的を果たす。しかしながら、雨、みぞれ、または雪などの降る荒れ模様の気象条件では、水滴および／または氷が前記シールドの上に付着し、前記着用者の視界を著しく妨げる。これは、走行中に気象条件にさらされるモーターサイクリストにとって特に問題である。さらに、スピードを出して走行するモーターサイクリストの着用するオートバイヘルメットのシールドには、虫、ならびに、ほこりおよび油などの道路のごみが付着し、同様に前記モーターサイクリストの視界を見えづらくし、視界を妨げる。モーターサイクリストの視界および視野範囲には可能な限り邪魔物がないことが重要であり、見えづらい、または妨げられた視界は危険であり、交通事故の原因になったり、または事故を起こす大きな要因になったりする。
【０００４】
前記シールドにごみおよび雨、みぞれ、雪などが付着する問題に対処するために、モーターサイクリストが現在行っている一つの方法は、例えば手袋または布を使って、手で前記シールドを拭いて前記シールドをきれいにするというものである。市販されているいくつかの拭き取りデバイスは、オートバイ手袋に取り付けるように設計され、この方法を使って前記シールドをきれいにするモーターサイクリストを手助けする。例えば、ボブヒースバイザーズ社（Bob Heath Visors,Ltd）から市販されているビーワイプデバイス（Vee-Wipe device）は、前記手袋の人差し指に取り付けるワイパブレード装置である。
【０００５】
例えばモーターサイクリストなどの、前記保護用ヘッドギヤの着用者は、前記シールドの外面にごみまたは氷および水の小滴が付着して視界が見えづらくなり、前記シールドを上に持ち上げる、または取り外す際に、単純な方法を用いる場合もある。これは、例えばほとんどのオートバイヘルメットで行われる方法であり、前記ヘルメットの両側面に設けられたピボットピンまたはピボットポイントを中心にして前記シールドを回転させ、手で前記シールドを目の上の高さに押し上げるという方法である。前記シールドは、「顔の前」から「顔の上」の位置へ回転される。しかしながら、「顔の上」の位置では、モーターサイクリストの顔および目が気象条件に完全に露出された状態になり、このように露出することは悪い気象条件では好ましくなく、視界が制限され、潜在的に危険な状態である。
【０００６】
ＧＢ２１６９４９７で説明されるような、より複雑な拭き取りデバイスでは、シールドまたはフロントガラス（windscreen）を横切って駆動する、特別に改造されたワイパブレードを備え、オートバイヘルメットのシールドまたは車両に、直接に、永久的に取り付けられた駆動装置を使用する。
【０００７】
このような従来の拭き取りデバイスの不利な点は、従来の拭き取りデバイスが、シールドまたはフロントガラス（windscreen）に通常よく見られる曲面上で動作するように設計されるため、特別な製品および構成部品を必要とする点である。
【０００８】
したがって、シールドを備えた形式の保護用ヘッドギヤ用の、例えばオートバイヘルメット用の、改良されたワイパブレード装置を提供することが求められる。その改良されたワイパブレード装置は、特に、雨、みぞれ、雪などの降る荒れ模様の天候において着用者の視界をきれいに保つために使用され、シールドの一般的な曲面形状に装置を適合させる必要がないワイパブレード装置である。
【発明の開示】
【発明が解決しようとする課題】
【０００９】
本発明の一番の特徴に基づいて、シールドを備えた形式の保護用ヘッドギヤ用のワイパブレード装置が提供され、前記装置は、シールドと、少なくとも一つのワイパブレードと、前記ワイパブレードを駆動するモータと、前記装置を前記ヘッドギヤに取り付け、前記装置のシールドを前記ヘッドギヤのシールドの上に保持するための取り付け手段と、からなる。
【課題を解決するための手段】
【００１０】
好ましい実施例では、前記装置のシールドは、ほぼ平らな前面パネルと、前記装置を前記ヘッドギヤのシールドに密着させるシールと、からなる。望ましくは、前記シールドの前面パネルは、プラスチックまたはガラスなどの耐久力のある材料で製造される。プラスチックの前面パネルは、モールド成形またはその他の同種の公知技術で製造することができる。特定の条件における見通しおよび／またはコントラストを向上させるために、前記シールドを淡い色や他の色に色づけしても良い。前記平らな前面パネルの実寸は、着用者の要望および前記装置が取り付けられるシールドを含む保護用ヘッドギヤの形状によって変化する。
【００１１】
前記装置のシールドは、前記ヘッドギヤのシールド部の前、および上に横たわる形の所定位置に保持される。前記装置のシールドが、前記ヘッドギヤのシールドを覆う所定位置に取り付けられる時には、前記シールドの平らな前面パネルの中央部が、前記ヘッドギヤのシールド部と一致するように配置される。
【００１２】
ほぼ平らな前面パネルは、従来のまっすぐなワイパブレードで拭き取るのに適した表面を提供する利点がある。前記ブレードは、バッテリ動力付きのモータデバイスなどの、標準的なすぐに利用可能な駆動手段で、前記平らな表面を横切って動かされる。前記装置は太陽電池であっても良い。前記バッテリは再充電可能であっても良い。このことは、前記デバイスが簡単なすぐに利用可能な構成部品から作られ、製造コストを低減できる利点があることを意味する。パワーソース、スイッチ、バッテリパック、およびモータは、前記装置上の任意の都合の良い位置に設置されることが可能である。
【００１３】
望ましくは、前記シールドのシールは、前記シールドの前面パネルの端面のほぼすべての周囲に取り付けられる。このことは望ましいことであり、その理由は、雨、ほこり、虫などが、前記ヘッドギヤのシールドと前記装置のシールドとの間の隙間から入って、使用者の視界を悪くしたり、または使用者の注意をそらすことが無いようにできるからである。
【００１４】
より望ましくは、前記装置のシールドのシールは柔らかい材料からなり、前記装置のシールドが前記保護用ヘッドギヤのシールドにきっちりと隙間無く装着される。前記の柔らかい材料は、ゴムまたは類似の柔らかい材料でも良い。
【００１５】
さらに、前記装置は、前記装置のシールドと前記ヘッドギヤのシールドとの間のスペースを換気する換気手段を有しても良い。これは、湯気および結露を低減し、除去する利点がある。この湯気および結露は、前記ヘッドギヤの暖かいシールド（使用者の体に近い）と、外部環境にさらされる、より冷たい前記装置のシールドとの間の温度差によって、前記装置のシールドの内表面に形成される可能性がある。
【００１６】
前記装置は、二つのワイパブレードを有しても良い。これは設計の融通性をもたらす利点があり、より大きいシールドを拭き取ることが可能であり、また、小さいシールドならば、単独のワイパブレードで行うよりもより効果的にきれいに拭き取ることが可能であるという利点がある。前記ワイパブレードは、望ましくはゴムなどの材料で作られ、望ましくは鋼製のロッドまたはモールド成形されたプラスチックロッドに取り付けられる。
【００１７】
好ましい実施例では、前記取り付け手段は、前記装置を前記ヘッドギヤに着脱可能に固定する手段を有する。これによって、使用者が前記装置を必要とする時にのみ、すなわち、悪い気象条件（例えば雨および／または雪）の時にのみ、前記装置を前記ヘッドギヤのシールドを覆う位置に取り付け、固定することが可能となる。前記装置を常に前記保護用ヘッドギヤに取り付けておく必要がない利点がある。
【００１８】
望ましくは、前記取り付け手段は、少なくとも一つのストラップまたはベルト部品を有する。より望ましくは、取り付け手段は、前記ストラップまたはベルト部品を前記ヘッドギヤに着脱可能に固定する手段を有し、それによって、迅速で、融通が利き、扱いやすい、前記ストラップまたはベルト部品への取り付け、取り外し、再取り付けが可能となる。
【００１９】
着脱可能に固定する前記固定手段は、前記保護用ヘッドギヤに取り付け可能であることが望ましい。前記固定手段は、望ましくは屋外使用に適するタイプの、糊の付いた両面接着用テープなどの接着剤で取り付けられても良い。
【００２０】
前記ヘッドギヤに取り付けられる固定手段は、本発明の有利な特徴である。すなわち、それによって前記装置を必要な時に即座に取り付けることが可能となり、使用者が別個の補助的な固定手段を位置決めし、しっかりと固定し、その固定手段を前記ヘッドギヤの外面に取り付ける必要が無い。前記装置は、気象条件が素早く変化し、スピードが重要となる悪天候の時に最もよく必要とされる。さらに、前記ヘッドギヤに取り付けられていない別個の分かれた固定手段は、容易に紛失したりまたは置き忘れたりする可能性がある。
【００２１】
望ましくは、前記取り付け手段は、クリップ、くさび、ホック、つめ状の突起、またはその他の保持手段を有する。この形式の取り付け手段によって、迅速かつ容易に前記装置を前記保護用ヘッドギヤに取り付けることができ、および／または前記取り付け手段を前記ヘッドギヤに取り付けることができる。暴風またはにわか雨などの急変する気象条件においては、前記装置を素早く取り付けることは利点となる。
【００２２】
前記装置の取り付けについて以下に説明する。前記装置の取り付けには、保護用ヘッドギヤの外面上に取り付けられ、前記ヘッドギヤのシールドの上に前記装置のシールドを保持するためのストラップ形式の取り付け手段を用いることが可能である。標準的なオートバイヘルメットなどの保護用ヘッドギヤの外面はスベスベしており、したがって、使用者が前記保護用ヘッドギヤのシールドを上に持ち上げると、前記取り付け用のストラップが引っ張られて、恐らく前記保護用ヘッドギヤの外面を滑り、持ち上がってしまうので、前記装置は、もはや前記保護用ヘッドギヤに固定して取り付けられないことが予想される。クリップ形式の固定手段を用いることは、この問題を軽減する利点がある。
【００２３】
前記取り付け用クリップ手段は交換可能であることがより望ましい。上述のクリップ、くさび、ホック、つめ状の突起は、金属またはモールド成形されたプラスチックなどの耐久力のある、気象耐性を有する材料で作られても良い。
【００２４】
望ましくは、前記取り付け手段は、弾力性のある部分を有する。弾力性のある部分は、保護用ヘッドギヤの種々の側面形状への取り付けに適応する、融通性のある柔らかい取り付け手段を提供する。
【００２５】
望ましくは、前記取り付け手段のすべてのまたは任意の部品は交換可能であり、それにより、長期にわたり前記装置を使用できる利点をもたらす。前記取り付け手段は、例えば、弾性繊維部分を有しても良く、その弾性繊維部分は、前記装置の他の構成部品よりも早く劣化する場合がある。したがって、交換式の取り付け手段は取り外され、交換されることで、前記デバイスの耐用年数をのばすことが可能である。あるいは、使用者は、デザインまたは審美的な理由で、前記取り付け手段を他の形式の取り付け手段に交換しても良い。
【発明の効果】
【００２６】
本発明は、モーターサイクリストなどの保護用ヘッドギヤの使用者が、雪および雨を含む荒れ模様の天候の間、シールド表面を自分の手で拭き取る必要なしに、きれいで見通しの良い視界を確保することを保証するデバイスを効果的に提供する。したがって、前記使用者は、より完全に彼らの前方の状況に集中することができる。大雨の時にオートバイヘルメットを着用しているモーターサイクリストの例では、前記ヘルメットに取り付けられた本発明のデバイスは、このように前記モーターサイクリストが道路状況に完全に集中することを可能とし、起こりうる事故を回避できる。
【発明を実施するための最良の形態】
【００２７】
本発明の実施例が、添付図面を参照しながら、例としてのみ説明されるであろう。
【００２８】
図について説明する。シールド１１を有する形式の保護用ヘッドギヤ１０用のワイパブレード装置１が示され、装置１は、シールド２と、少なくとも一つのワイパブレード３と、ワイパブレード３を駆動するモータ４と、装置１をヘッドギヤ１０に取り付け、装置１のシールド２をヘッドギヤ１０のシールド１１の上に保持するための取り付け手段５と、からなる。
【００２９】
図について説明する。図２は、本発明のワイパブレード装置１の実施例を示す。ここで、保護用ヘッドギヤ１０は、標準的なフルフェイスオートバイヘルメットであり、取り付け手段５は、ストラップ部品３５および取り付け用クリップ２５を有する。
【００３０】
前記装置のシールドは、ヘッドギヤのシールド部の前、および上に横たわる形の所定位置に保持される。前記装置のシールドが、ヘッドギヤのシールドを覆う所定位置に取り付けられる時には、前記装置のシールドの平らな前面パネルの中央部が、ヘッドギヤのシールド部と一致するように配置される。装置１は、ヘルメット１０およびヘルメットのシールド１１に、ストラップ部品３５およびクリップ２５を用いて固定される。
【００３１】
図２および図３に示される実施例は、モータ４と、バッテリ電源１４と、ワイパブレード３を制御し、および駆動するパワースイッチ１５と、からなる。実施例は、さらに、取り付け用ストラップ３５と、取り付け用クリップ２５と、からなる。
【００３２】
図２、図３、および図４を参照しながら、本発明のワイパブレード装置の構成部品および動作を説明する。
【００３３】
本発明の装置１のシールド２は、硬く、耐久力のある、透明なプラスチック材料から作られる、ほぼ平らな前面パネル１９からなる。ほぼ平らな前面パネル１９は、着用者にはっきりした明瞭な視界を提供するために適した幅および寸法を有する。
【００３４】
好ましい実施例では、シールド２は、シールド２の前面パネルの端面のほぼすべての周囲に取り付けられるシール７を有する。シール７は柔らかいゴム材料からなり、ヘルメット１０のシールド１１にきっちりと隙間無く装着される。これによって、装置１のシールド２とヘルメット１０のシールド１１との間の隙間から雨、ほこりなどが入るのを防ぐ。シールド２は、また、ゴム製のシール７に換気口（図示されていない）の形式の換気手段を有し、シールド２の内表面に形成される結露および湯気を低減する。
【００３５】
装置１は、さらに、鋼製のロッド１８に取り付けられたゴム製のブレード１７からなる二つのワイパブレード３を有する。
【００３６】
使用において、以下に説明される駆動装置が、ワイパブレード（３、１７、１８）をシールド２の平らな前面パネル１９を横切って駆動し、これによって、前面パネルを効果的にきれいにできる。図２および図３に示される実施例では、ワイパブレード３は、モータ４によって駆動され、アクチュエータモータ装置、例えば、マクソンモーター社（Maxxon Motor）から市販されている直流モータ、モデルＮｏ．ＲＥ１０などで駆動される。モータ４は、モールド成形されたプラスチックケースに格納され、図２および図３に示されるようにシールド２の上に取り付けられる。モータ４は、離れて別個に設置されたバッテリパック１４によって動力を供給され、パワーオンオフスイッチ１５が、装置１上で着用者にとって便利な場所に設置される。
【００３７】
使用において、モータ４は、交互にワイパブレード３を駆動し、すなわち、最初に、ブレード３が互いに近づく方向に動き、次に、ブレードが互いに離れる方向に動くように（または、その逆に）、図２の中にワイパの動きを表す矢印で示すように駆動する。もう一つの方法として、モータ４は、ワイパブレード３を互いに同じ方向に駆動し、すなわち、交互に、ワイパブレード３をシールド２の片端の方向に動かし、次に、シールド２の反対の端の方向に動かす。
【００３８】
図２、図３、および図４に示す好ましい実施例では、装置１の取り付け手段５は、弾力性のあるストラップ３５を有する。ストラップ３５は、装置１の取り替え可能な部品である。ストラップ３５は、クリップ２５と協働する。クリップ２５は、接着剤２０を用いて、永久的にまたは半永久的にヘルメット１０に取り付けられる。接着剤２０は、屋外使用に適したものである。
【００３９】
本発明の取り付け手段の一実施例の詳細について示す図４を参照しながら、ヘルメット１０への前記装置の取り付けについて説明する。
【００４０】
モーターサイクリストがヘルメット１０を購入し、オートバイ使用者が、ヘルメットにつける付属品として本発明の装置を購入した後に、取り付けの問題が生じる。すなわち、本発明の装置は、モーターサイクリスト用の付属的な、および補完的、補助的なデバイスとして設計される。
【００４１】
モーターサイクリストが本発明の装置を使用したいと思う時には、普通、悪い気象条件などであり、装置１が保管場所から取り外され、モーターサイクリストは、前記装置のシールド２を、ヘルメット１０のシールド１１の上を覆う形で、所定の位置に取り付ける。ストラップ３５は、しっかりと引っ張られ、ヘルメット１０の頭部をぐるっと回り、ヘルメット１０の後ろを回して、ピンと張った状態にし、図４に示すようにクリップ２５およびくぼみ２６にぴったりはまる。
【００４２】
クリップ２５は、くぼみ２６の中に取り付け用ストラップ３５を保持するためのつめ状の突起２２を有しても良い。使用において、着用者がヘルメット１０のシールド１１をヘルメット１０の「顔の上」の位置に持ち上げた場合でも、装置１は、ヘルメット１０のシールド１１の上にしっかりと保持される。装置１が所定位置にある時、バッテリパック１４に接続されているパワースイッチ１５が「ＯＮ」にされ、モータ４に動力が供給され、シールド２の平らなパネル１９を横切ってワイパブレード３が駆動される。シールド２は、ブレード３の動きによって、水滴、虫、ごみなどをきれいに取り除かれる。装置１がもはや必要でなくなれば、モーターサイクリストは、ストラップ３５をクリップ２５から取り外し、装置１をヘルメット１０から取り外す。
【００４３】
上に説明された実施例は、例としてのみ取り上げたものであり、添付クレームに明示される本発明の範囲を逸脱することなく、種々の変更がなされる。
【００４４】
例えば、前記装置は他の形式の保護用ヘッドギヤに使用されることが可能であり、すなわち、着用者がきれいで遮るもののない視界を有することが重要な状況、および、視界が外部のごみまたは気象条件によって損なわれるような状況で使用可能である。他の形式の保護用ヘッドギヤの例としては、レーシングカードラーバー用のヘルメット、または、警察または他の保安要員などの治安部隊に使用されるようなシールドを備えたヘルメットがある。
【図面の簡単な説明】
【００４５】
【図１ａ】従来の標準的なフルフェイスオートバイヘルメットおよびシールドの正面図である。
【図１ｂ】従来の標準的なフルフェイスオートバイヘルメットおよびシールドの側面図である。
【図２】従来の標準的なフルフェイスオートバイヘルメットに取り付けられた本発明のワイパブレード装置の正面図である。
【図３】図２のワイパブレード装置の側面図である。
【図４】本発明の取り付け手段の一部の詳細を示す、従来のオートバイヘルメットの側面図である。
2005534822.tif 000003
【図２】
2005534822.tif 000004
【図３】
2005534822.tif 000005
【図４】
2005534822.tif 000006
【国際調査報告】
2005534822.tif 000007
2005534822.tif 000008
2005534822.tif 000009